(57)【要約】【課題】  オーディオ信号処理装置において、スピーカ出力中にヘッドホンが接続されたときヘッドホンの出力信号のみ音量及び音質を切り換える。【解決手段】  オーディオ信号処理装置において、第１のオーディオ信号の音量及び音質を調節する第１の調節手段と、第２のオーディオ信号又は第１のオーディオ信号の音量及び音質を調節する第２の調節手段と、第１又は第２の調節手段が調節したオーディオ信号をスピーカに出力する第１又は第２のスピーカ出力手段と、第２の調節手段が調節したオーディオ信号をヘッドホンに出力するヘッドホン出力手段と、第２の調節手段による調節量を設定する設定手段と、ヘッドホンの接続の有無を検出する検出手段と、ヘッドホンが接続されたとき第２のスピーカ出力手段の出力を停止させ第２の調節手段の音量及び音質を設定手段による調節量に調節しヘッドホン出力手段に第１のオーディオ信号を出力させる制御手段を備える。【選択図】      図１
2006041564.tif 000002
【特許請求の範囲】
【請求項１】
第１の２チャンネルのオーディオ信号の音量及び音質を調節する第１の調節手段と、前記第１の調節手段が調節したオーディオ信号をスピーカに出力する第１のスピーカ出力手段と、第２の２チャンネルのオーディオ信号又は第１の２チャンネルのオーディオ信号の音量及び音質を調節する第２の調節手段と、前記第２の調節手段が調節したオーディオ信号をスピーカに出力する第２のスピーカ出力手段と、前記第２の調節手段が調節したオーディオ信号をヘッドホンに出力するヘッドホン出力手段と、前記ヘッドホン出力手段に対する前記第２の調節手段による音量及び音質の調節量を設定する設定手段と、前記ヘッドホン出力手段のヘッドホンの接続の有無を検出するヘッドホン接続検出手段と、前記第１のスピーカ出力手段が第１の２チャンネルのオーディオ信号を出力し前記第２のスピーカ出力手段が第２の２チャンネルのオーディオ信号を出力しているとき前記ヘッドホン接続検出手段がヘッドホンの接続を検出した場合に、前記第２のスピーカ出力手段の第２の２チャンネルのオーディオ信号の出力を停止させ、前記第２の調節手段の音量及び音質をヘッドホン出力手段に対する前記設定手段に設定された調節量に調節し前記ヘッドホン出力手段に前記第１の２チャンネルのオーディオ信号を出力させる制御手段とを備えることを特徴とするオーディオ信号処理装置。
【発明の詳細な説明】
【技術分野】
【０００１】
本発明は、サラウンド再生等の複数チャンネルのオーディオ信号処理を行うオーディオ信号処理装置に関する。
【背景技術】
【０００２】
オーディオ信号の音質を調節して出力するオーディオ信号処理装置において、スピーカ出力端子とヘッドホン出力端子とメモリとを備え、スピーカ使用時の音質データとヘッドホン使用時の音質データをメモリに記憶し、ヘッドホンを接続したときにはメモリに記憶したヘッドホン使用時の音質データに切り換えて音質を制御し、ヘッドホンを取り外したときにはメモリに記憶したスピーカ使用時の音質データに切り換えて音質を制御しスピーカにオーディオ信号を出力する装置があった(特許文献１参照)。
【０００３】
また、記録媒体に記録された映像信号及びオーディオ信号を記録媒体再生装置によって再生し、再生した映像信号を映像表示装置によって表示するときに、再生したオーディオ信号の音量及び音質を調節して、視聴者の前方左右及び後方左右等に配置したスピーカに出力するＡＶ(Audio Visual)アンプ等のオーディオ信号処理装置がある。このようなオーディオ信号処理装置において、後方左右のスピーカに出力するオーディオ信号を前方左右のオーディオ信号に切り換える手段を備え、前方左右用のスピーカと後方左右用のスピーカにそれぞれ前方左右のオーディオ信号を出力し、それぞれ離れた場所に設置して使用することができる装置があった。このような装置では、それぞれの出力端子をスピーカからヘッドホンに切り換える手段を設けて使用することもできる。
【０００４】
【特許文献１】特開２００４−６４１７２号公報
【発明の開示】
【発明が解決しようとする課題】
【０００５】
映画等が収録された記録媒体を再生し、再生した映像信号を映像表示装置によって表示し、再生したオーディオ信号をＡＶアンプ等のオーディオ信号処理装置によって音量、音質を調節して、視聴者の前方左右及び後方左右等に配置したスピーカに出力して、複数の視聴者が映画等を視聴する際、例えば、複数の視聴者の一人が高齢等の難聴者である場合、他の健常者に合わせた音量及び音質でスピーカから出力される音では当該視聴者にとって聴き取り難いことがあった。
特許文献１に記載されたオーディオ信号処理装置は、ヘッドホンを用いて難聴者に合わせた音量及び音質としてオーディオ信号を出力できるが、スピーカの出力中にヘッドホンが接続されたときヘッドホンの出力チャンネルのみ音量及び音質を切り換える機能は備えていなかった。
【０００６】
また、前方左右用のスピーカと後方左右用のスピーカにそれぞれ前方左右のオーディオ信号を出力し、それぞれヘッドホン出力に切り換える手段を備えたオーディオ信号処理装置は、スピーカへの出力中にヘッドホンが接続されたとき、前方左右のオーディオ信号をスピーカ及びヘッドホンにそれぞれ出力することができるが、難聴者がヘッドホンを接続して使用するとき、ヘッドホンに出力するオーディオ信号の切り換え、音量と音質の調節の手動操作を必要とした。
【０００７】
本発明の目的は、オーディオ信号処理装置において、スピーカの出力中にヘッドホンが接続されたときヘッドホンに出力するオーディオ信号のみ音量及び音質を切り換えてスピーカの出力とヘッドホンの出力を各々に設定された音量及び音質で同時に行う機能を備えた装置を提供することにある。
【課題を解決するための手段】
【０００８】
本発明の請求項１に記載のオーディオ信号処理装置は、第１の２チャンネルのオーディオ信号の音量及び音質を調節する第１の調節手段と、前記第１の調節手段が調節したオーディオ信号をスピーカに出力する第１のスピーカ出力手段と、第２の２チャンネルのオーディオ信号又は第１の２チャンネルのオーディオ信号の音量及び音質を調節する第２の調節手段と、前記第２の調節手段が調節したオーディオ信号をスピーカに出力する第２のスピーカ出力手段と、前記第２の調節手段が調節したオーディオ信号をヘッドホンに出力するヘッドホン出力手段と、前記ヘッドホン出力手段に対する前記第２の調節手段による音量及び音質の調節量を設定する設定手段と、前記ヘッドホン出力手段のヘッドホンの接続の有無を検出するヘッドホン接続検出手段と、前記第１のスピーカ出力手段が第１の２チャンネルのオーディオ信号を出力し前記第２のスピーカ出力手段が第２の２チャンネルのオーディオ信号を出力しているとき前記ヘッドホン接続検出手段がヘッドホンの接続を検出した場合に、前記第２のスピーカ出力手段の第２の２チャンネルのオーディオ信号の出力を停止させ、前記第２の調節手段の音量及び音質をヘッドホン出力手段に対する前記設定手段に設定された調節量に調節し前記ヘッドホン出力手段に前記第１の２チャンネルのオーディオ信号を出力させる制御手段とを備えるものである。
【発明の効果】
【０００９】
本発明のオーディオ信号処理装置によれば、スピーカの出力中にヘッドホンが接続されたときヘッドホンに出力するオーディオ信号のみ音量及び音質を切り換えてスピーカの出力とヘッドホンの出力を各々に設定された音量及び音質で同時に行うことができる。
【発明を実施するための最良の形態】
【００１０】
図１は、本発明のオーディオ信号処理装置の一実施例の構成を示すブロック図である。
入力端子１ａ、１ｂから入力されたデジタルオーディオ信号は、マルチチャンネルデコーダ２に入力される。
マルチチャンネルデコーダ２に入力されるデジタルオーディオ信号は、５．１チャンネルのオーディオ信号がエンコードされたものである場合と２チャンネルのオーディオ信号がエンコードされたものである場合がある。入力されたデジタルオーディオ信号が５．１チャンネルのサラウンド再生用のビットストリーム信号であれば、マルチチャンネルデコーダ２は、当該ビットストリーム信号を各チャンネルのデジタルオーディオ信号にデコードする。また、入力されたデジタルオーディオ信号が２チャンネルオーディオ信号であれば、マルチチャンネルデコーダ２は、２チャンネルのデジタルオーディオ信号をデコードすると共に、当該２チャンネルのデジタルオーディオ信号からサラウンド再生用の他の３．１チャンネルの信号を生成する。
【００１１】
マルチチャンネルデコーダ２は、出力選択部２ａ、２ｂ、２ｃを備える。出力選択部２ａ、２ｂ、２ｃは、入力端子１ａから入力されたオーディオ信号を出力するか、入力端子１ｂから入力されたオーディオ信号を出力するかを選択する。
５．１チャンネルのサラウンド再生を行う場合、出力選択部２ａは、使用者の前方に位置する左右のスピーカ用のオーディオ信号を出力し、出力選択部２ｂは、使用者の後方に位置する左右のスピーカ用のオーディオ信号を出力し、出力選択部２ｃは、使用者の前方中央に位置するスピーカ及びサブウーハスピーカ用のオーディオ信号を出力する。
また、出力選択部２ａ、２ｂは、５．１チャンネルのオーディオ信号のうち前方左右のスピーカに出力するオーディオ信号を、それぞれ同時に選択して出力することができる。
ＤＡ(Digital to Analog)コンバータ３(以下、Ｄ／Ａと言う。)は、マルチチャンネルデコーダ２から入力された各チャンネルのデジタルオーディオ信号をアナログオーディオ信号に変換する。
【００１２】
音量音質調節部４ａは、第１の２チャンネルのオーディオ信号として、出力選択部２ａからＤ／Ａ３を介して入力されたオーディオ信号の音量と音質を調節する。音量は、オーディオ信号全体の振幅レベルを増減させて調節する。音質は、予め定められた範囲の周波数帯域のオーディオ信号、即ち調節対象とする周波数帯域の低音又は高音の振幅レベルを増減させて調節する。
音量音質調節部４ｂは、第２の２チャンネルのオーディオ信号として、出力選択部２ｂからＤ／Ａ３を介して入力されたオーディオ信号の音量と音質を調節する。
音量音質調節部４ｃは、出力選択部２ｃからＤ／Ａ３を介して入力されたオーディオ信号の音量と音質を調節する。
【００１３】
アンプ５ａ、５ｂは、音量音質調節部４ａから入力されるオーディオ信号を増幅する。アンプ５ｃ、５ｄは、音量音質調節部４ｂから入力されるオーディオ信号を増幅する。アンプ５ｅ、５ｆは、音量音質調節部４ｃから入力されるオーディオ信号を増幅する。リレー６ａは、アンプ５ａ、５ｂから入力されるオーディオ信号のヘッドホン端子７ａへの出力の接続と切断とを切り換える。ヘッドホン端子７ａは、ヘッドホンを接続するための端子であり、ヘッドホン９ａの接続の有無を検出し、検出信号をマイコン１１に出力する。
【００１４】
リレー６ｂは、アンプ５ａ、５ｂから入力されるオーディオ信号のスピーカ端子８ａ、８ｂへの出力の接続と切断とを切り換える。スピーカ端子８ａ、８ｂは、視聴者の前方左右に配置するスピーカ１０ａ、１０ｂを接続するための端子である。
リレー６ｃは、アンプ５ｃ、５ｄから入力されるオーディオ信号のスピーカ端子８ｃ、８ｄへの出力の接続と切断とを切り換える。スピーカ端子８ｃ、８ｄは、視聴者の後方左右に配置するスピーカ１０ｃ、１０ｄを接続するための端子である。
【００１５】
リレー６ｄは、アンプ５ｃ、５ｄから入力されるオーディオ信号のヘッドホン端子７ｂへの出力の接続と切断とを切り換える。ヘッドホン端子７ｂは、ヘッドホンを接続するための端子であり、ヘッドホン９ｂの接続の有無を検出し、検出信号をマイコン１１に出力する。
リレー６ｅは、アンプ５ｅ、５ｆから入力されるオーディオ信号のスピーカ端子８ｅ、８ｆへの出力の接続と切断とを切り換える。スピーカ端子８ｅ、８ｆは、視聴者の前方中央のスピーカ１０ｅ、サブウーハ用スピーカ１０ｆを接続するための端子である。
【００１６】
マイクロコンピュータ（以下、マイコンと言う。）１１は、マルチチャンネルデコーダ２、音量音質調節部４ａ、４ｂ、４ｃ、リレー６ａ、６ｂ、６ｃ、６ｄ、６ｅを制御する。マイコン１１には、ヘッドホン端子７ａ、７ｂの検出信号が入力される。
マイコン１１は、音量音質設定部１１ａを備える。音量音質設定部１１ａは、音量音質調節部４ａ、４ｂ、４ｃの音量及び音質の調節量を設定する。ここで、音量音質調節部４ａについては、ヘッドホン９ａにオーディオ信号を出力する場合とスピーカ１０ａ、１０ｂにオーディオ信号を出力する場合とを分けて設定し、音量音質調節部４ｂについては、ヘッドホン９ｂにオーディオ信号を出力する場合とスピーカ１０ｃ、１０ｄにオーディオ信号を出力する場合とを分けて設定する。
操作部１２は、操作ボタン等を備え、マイコン１１に操作信号を入力する。
表示部１３は、マイコン１１から入力される表示信号により文字等を表示する。
【００１７】
ヘッドホン９ａをヘッドホン端子７ａに接続した場合、ヘッドホン端子７ａからマイコン１１に検出信号が入力される。マイコン１１は、検出信号が入力されると、音量音質設定部１１ａの設定値に基づいて、音量音質調節部４ａの音量及び音質を調節する。
ヘッドホン９ｂをヘッドホン端子７ｂに接続した場合、ヘッドホン端子７ｂからマイコン１１に検出信号が入力される。マイコン１１は、検出信号が入力されると、音量音質設定部１１ａの設定値に基づいて、音量音質調節部４ｂの音量及び音質を調節する。
【００１８】
５．１チャンネルのサラウンド再生を行っている場合、スピーカ１０ａ〜１０ｆにオーディオ信号を出力しているときに、ヘッドホン９ａを接続すると、マイコン１１は、ヘッドホン端子７ａの検出信号を受けて、リレー６ｂ、６ｃ、６ｅを切断してスピーカ１０ａ〜１０ｆへの出力を停止させ、音量音質調節部４ａの調節量を音量音質設定部１１ａの設定に基づいて制御し、リレー６ａを接続してヘッドホン９ａにオーディオ信号を出力させる。このように、ヘッドホン９ａをヘッドホン端子７ａに接続すると、スピーカ出力からヘッドホン出力に切り換えられ、高齢等の難聴者が使用する場合、予め音量を大きくし聴こえ難い高音を増強した音質として音量音質設定部１１ａに設定しておいて、切り換えることができる。難聴者のために音量を大きくし聴こえ難い高音を増強した音質として利用する場合、ヘッドホン出力に切り換えることによって、隣室や近所への騒音となることを防止することができる。
【００１９】
近年、２チャンネルのオーディオ信号であっても、マルチチャンネルデコーダによって、サラウンド用のスピーカを配置してオーディオ信号を再生したときのような音場の広がり感や移動感等の音響効果を高めるための処理を行ってオーディオ信号を再生する技術がある。ここで、マルチチャンネルデコーダ２が、ヘッドホン９ａへ出力するオーディオ信号に音響効果を高める信号処理を行って出力する構成として実施することもできる。
【００２０】
５．１チャンネルのサラウンド再生を行っている場合、スピーカ１０ａ〜１０ｆにオーディオ信号を出力しているときに、高齢等の難聴者がヘッドホン９ｂを接続すると、マイコン１１は、ヘッドホン端子７ｂの検出信号を受けて、リレー６ｃを切断してスピーカ１０ｃ、１０ｄへの出力を停止させ、音量音質調節部４ｂの調節量を、難聴者が聴取しやすくなるように予め音量を大きくし聴こえ難い高音を増強した音質に設定した音量音質設定部１１ａの設定に基づいて制御し、マルチチャンネルデコーダ２を制御して音量音質調節部４ｂに出力するオーディオ信号を前方左右の２チャンネルのオーディオ信号に切り換えさせて、リレー６ｄを接続してヘッドホン９ｂにオーディオ信号を出力させる。
【００２１】
なお、マルチチャンネルデコーダ２が、ヘッドホン９ｂへ出力するオーディオ信号に音場の広がり感や移動感等の音響効果を高めるための信号処理を行って出力する構成として実施することもできる。また、マルチチャンネルデコーダ２が、スピーカ１０ａ、１０ｂへ出力するオーディオ信号に音響効果を高める信号処理を行って出力することによって、サラウンド用スピーカ１０ｃ、１０ｄの出力がなくなった分の音響効果を補強する構成として実施することもできる。
【００２２】
映画等が収録された記録媒体を再生装置で再生し、再生装置が再生した映像信号を映像表示装置に入力して表示し、再生装置が再生したオーディオ信号をＡＶアンプ等のオーディオ信号処理装置によって音量、音質を調節して、視聴者の前方左右及び後方左右等に配置したスピーカに出力して、複数の視聴者が映画等を視聴するとき、例えば、複数の視聴者の一人が高齢等の難聴者である場合、難聴者はヘッドホン９ｂを使用して、例えば、音量を大きくし聴こえ難い高音を増強した音質に設定したオーディオ信号を再生して聴取することができる。このようにして、健常者はスピーカで聴取し、同時に、難聴者はヘッドホンで音量及び音質を聴き取りやすく調節した音を聴取し、同じ場所で映画等を鑑賞することができる。
【００２３】
操作部１２の操作によりマイコン１１を介して出力選択部２ａ、２ｂで同じ２チャンネルのオーディオ信号を選択して再生する場合、ヘッドホン９ａ、９ｂに、それぞれ異なる音量及び音質を設定し、ヘッドホン９ａ、９ｂをヘッドホン端子７ａ、７ｂに接続したとき、音量音質設定部１１ａの設定値に基づいて、自動的に音量及び音質を調節して、使用することができる。
【００２４】
本実施例のオーディオ信号処理装置によれば、複数の視聴者が映画等を視聴する場合、複数の視聴者の一人は、高齢等の難聴者であって、他の健常者に合わせた音量及び音質でスピーカから出力される音では聴き取り難い場合、ヘッドホン９ｂをヘッドホン端子７ｂに接続し、難聴者が聴取しやすいように音量を大きくし聴こえ難い高音を増強した音質に自動的に切り換えて聴取することができ、健常者と難聴者が同じ場所で映画等を鑑賞することができる。
【図面の簡単な説明】
【００２５】
【図１】本発明のオーディオ信号処理装置の一実施例の構成を示すブロック図である。
【符号の説明】
【００２６】
１ａ、１ｂ  入力端子
２  マルチチャンネルデコーダ
２ａ、２ｂ、２ｃ  出力選択部
３  ＤＡコンバータ(Ｄ／Ａ)
４ａ、４ｂ、４ｃ  音量音質調節部
５ａ、５ｂ、５ｃ、５ｄ、５ｅ、５ｆ  アンプ
６ａ、６ｂ、６ｃ、６ｄ、６ｅ  リレー
７ａ、７ｂ  ヘッドホン端子
８ａ、８ｂ、８ｃ、８ｄ、８ｅ、８ｆ  スピーカ端子
９ａ、９ｂ  ヘッドホン
１０ａ、１０ｂ、１０ｃ、１０ｄ、１０ｅ、１０ｆ  スピーカ
１１  マイコン
１１ａ  音量音質設定部
１２  操作部
１３  表示部
【図１】
2006041564.tif 000003